(57)【要約】【課題】遊技場内機器の出力端子を出力判定装置の入力端子に容易に接続することができる遊技場内機器の出力端子の出力判定装置を提供する。【解決手段】第１及び第２スイッチング回路Ｇ１−１及びＧ２−１をオフ、第３及び第４スイッチング回路Ｇ３−１及びＧ４−１をオンして、コンデンサ１１２を正方向あるいは負方向に充電する。次に、第１及び第２スイッチング回路Ｇ１−１及びＧ２−１をオン、第３及び第４スイッチング回路Ｇ３−１及びＧ４−１をオフして、正方向あるいは負方向に充電されたコンデンサ１１２を遊技機１０の出力端子に接続する。次に、第１及び第２スイッチング回路Ｇ１−１及びＧ２−１をオフ、第３及び第４スイッチング回路Ｇ３−１及びＧ４−１をオンし、比較器１６０によりコンデンサ１１２の端子電圧と基準電圧Ｒｅｆを比較する。そして、比較機１６０の出力信号に基づいて遊技機１０の出力端子の出力を判定する。【選択図】        図２
2004174161.tif 000002
【特許請求の範囲】
【請求項１】
遊技場内機器の出力端子に接続可能であり、当該出力端子の出力に応じた状態となる検出手段と、
検出手段の状態に基づいて遊技場内機器の前記出力端子の出力を判定する判定手段と、
検出手段と遊技場内機器の出力端子及び検出手段と判定手段との接続状態及び切断状態を切り替え可能な切替手段とを備え、
検出手段を遊技場内機器の出力端子及び判定手段の一方に接続する時には他方との接続を切断する、
遊技場内機器の出力端子の出力判定装置。
【請求項２】
請求項１に記載の遊技場内機器の出力端子の出力判定装置であって、検出手段は遊技場内機器の出力端子に対応して設けられており、判定手段は、複数の検出手段に対応して設けられており、当該各検出手段の状態に基づいて当該各検出手段に対応する出力端子の出力を判定する、遊技場内機器の出力端子の出力判定装置。
【請求項３】
請求項１または２に記載の遊技場内機器の出力端子の出力判定装置であって、検出手段は、電荷蓄積手段により構成され、切替手段は、一方の極性あるいは他方の極性に充電された電荷蓄積手段を判定手段との接続を切断した状態で遊技場内機器の出力端子に接続し、その後、電荷蓄積手段を遊技場内機器の出力端子との接続を切断した状態で判定手段に接続する、遊技場内機器の出力端子の出力判定装置。
【発明の詳細な説明】
【０００１】
【発明の属する技術分野】
本発明は、パチンコ店等の遊技場に設けられている遊技場内機器の出力端子の出力を判定する遊技場内機器の出力端子の出力判定装置に関する。
【０００２】
【従来の技術】
パチンコ店等の遊技場には、種々の遊技場内機器（例えば、遊技機、遊技媒体貸出機、遊技媒体計数機等）が設けられている。
各遊技場内機器は、出力端子から当該遊技場内機器の状態を示す出力信号を出力する。例えば、パチンコ店に設けられている遊技機は、特賞が発生したことを示す特賞信号を特賞信号出力端子から出力し、高確率になったこと（抽選の結果が当たりとなる確率が高い状態）を示す高確率信号を高確率信号出力端子から出力し、遊技玉の入賞により賞球を払い出したことを示す払出信号を払出信号出力端子から出力する。出力端子から出力される出力信号は、通常、パルス信号の形態で出力される。
また、遊技場内機器の出力端子の出力を判定する出力判定装置が設けられている。出力判定装置は、入力端子に接続されている遊技場内機器の出力端子の出力、すなわち、遊技場内機器の出力端子から出力される出力信号を判定する（例えば、出力端子からパルス信号が出力されたか否かを判定する）。
遊技機の出力端子の出力を判定する出力判定装置は、例えば、遊技機に対応して設けられている遊技端末装置に設けられる。遊技端末装置は、出力判定装置により判定した遊技機の出力端子の出力（例えば、特賞信号出力端子から特賞信号が出力されたか否か等）を、例えば、遊技場を管理する遊技場管理装置にＬＡＮ等の通信回線を介して送信する。遊技場管理装置は、各遊技端末装置から送信される各遊技機の出力端子の出力に基づいて、各遊技機を管理する。
【０００３】
ここで、遊技場内機器の出力端子から出力される出力信号の形態は、遊技場内機器の種類、機種等によって異なる。遊技場内機器の出力端子から出力される出力信号の形態の例を、図６に示す。
Ａタイプの遊技場内機器では、出力端子ａ１とａ２間が開放された開放状態と、出力端子ａ１からａ２の方向に電流が流れる正方向短絡状態に設定される（開放／正方向短絡）。Ｂタイプの遊技場内機器では、出力端子ｂ１とｂ２間が開放された開放状態と、出力端子ｂ２からｂ１の方向に電流が流れる負方向短絡状態に設定される（開放／負方向短絡）。Ｃタイプの遊技場内機器では、出力端子ｃ１とｃ２間が開放された開放状態と、出力端子ｃ１とｃ２間が短絡された双方向短絡状態に設定される（開放／双方向短絡）。Ｄタイプの遊技場内機器では、出力端子ｄ１とｄ２間が開放された開放状態と、出力端子ｄ２からｄ１の方向に電流を流す負電圧出力状態に設定される（開放／負電圧出力）。Ｅタイプの遊技場内機器では、出力端子ｅ１とｅ２間が開放された開放状態と、出力端子ｅ１からｅ２の方向に電流を流す正電圧出力状態に設定される（開放／正電圧出力）。
出力判定装置は、遊技場内機器の出力端子と接続されている入力端子ｆ１とｆ２間の状態に基づいて遊技場内機器の出力端子の出力を判定し、判定信号を出力端子から出力する。判定信号は、例えば、遊技場管理装置に送信される。
遊技場内機器の出力端子から出力される出力信号の形態が異なると出力端子の出力の判定方法も異なるため、従来の遊技場内機器の出力端子の出力判定装置では、遊技場内機器の出力端子と出力判定装置の入力端子とを接続する際、遊技場内機器の出力端子から出力される出力信号の形態を判別して接続方法を決定している。（特許文献１参照）
【０００４】
【特許文献１】
特開平９−５６９０８号公報
【０００５】
【発明が解決しようとする課題】
従来の遊技場内機器の出力端子の出力判定装置では、遊技場内機器の出力端子から出力される出力信号の形態を判別し、判別した出力信号の形態に応じた接続方法を決定する必要があるため、作業効率がよくない。
そこで、本発明は、遊技場内機器の出力端子から出力される出力信号の形態を判別することなく遊技場内機器の出力端子を出力判定装置の入力端子に自由に接続することができる遊技場内機器の出力端子の出力判定装置を提供することを目的とする。
【０００６】
【課題を解決するための手段】
前記課題を解決するための本発明の第１発明は、請求項１に記載されたとおりの遊技場内機器の出力端子の出力判定装置である。
請求項１に記載の遊技場内機器の出力端子の出力判定装置では、出力端子の出力に応じた状態となる検出手段と、検出手段の状態に基づいて出力端子の出力を判定する判定手段を設けている。これにより、遊技場内機器の出力端子から出力される出力信号の形態を判別することなく遊技場内機器の出力端子を出力判定装置の入力端子に自由に接続することができるため、作業性が向上する。また、遊技場内機器の出力端子の出力判定時に、検出手段を遊技場内機器の出力端子及び判定手段の一方に接続する時には他方との接続を切断する切替手段を用いている。これにより、遊技場内機器の出力端子の出力判定時に、検出手段が遊技場内機器の出力端子と判定手段に同時に接続されないため、検出手段を含む回りこみ回路が形成されることが防止され、遊技場内機器の出力端子の出力を正確に検出することができる。
また、本発明の第２発明は、請求項２に記載されたとおりの遊技場内機器の出力端子の出力判定装置である。
請求項２に記載の遊技場内機器の出力端子の出力判定装置では、判定手段を複数の検出手段に対して兼用して用いているため、遊技場内機器の出力端子の出力判定装置を簡単な回路構成で安価に構成することができる。
また、本発明の第３発明は、請求項３に記載されたとおりの遊技場内機器の出力端子の出力判定装置である。
請求項３に記載の遊技場内機器の出力端子の出力判定装置では、検出手段として電荷蓄積手段を用い、一方の極性あるいは他方の極性に充電した電荷蓄積手段を判定手段との接続を切断した状態で遊技場内機器の出力端子に接続した後に、電荷蓄積手段を遊技場内機器の出力端子との接続を切断した状態で判定手段に接続する。これにより、遊技場内機器の出力端子の出力を、簡単な構成で、回りこみ回路が形成されるのを防止しながら正確に判定することができる。
【０００７】
【発明の実施の形態】
以下に、本発明の実施の形態を図面を参照して説明する。
図１及び図２は、本発明の遊技場内機器の出力端子の出力判定装置（以下、「出力判定装置」という）の一実施の形態の概略構成図である。本実施の形態は、パチンコ店に設けられているパチンコ機等の遊技機の出力端子の出力を判定する出力判定装置である。パチンコ機等の遊技機の出力端子の出力を判定する出力判定装置は、通常、遊技機に対応して設けられている遊技端末装置に設けられる。なお、パチンコ店に設けられている遊技機１０および２０には、通常、特賞信号出力端子、高確率信号出力端子、払出信号出力端子等の複数の出力端子が設けられているが、以下では、説明を簡単にするため、遊技機１０及び２０に出力端子１１ａと１１ｂ及び２１ａと２１ｂのみが設けられているものとする。遊技機に複数の出力端子が設けられている場合には、各出力端子に対応する検出回路が設けられる。
また、出力判定装置１００は、２台の遊技機の出力端子の出力を判定するものとする。勿論、出力判定装置１００は、１台の遊技機の出力端子の出力を判定してもよいし、２台以外の複数台の遊技機の出力端子の出力を判定してもよい。
【０００８】
出力判定装置１００は、遊技機１０の出力端子１１ａと１１ｂが接続される入力端子１１１ａと１１１ｂ、遊技機２０の出力端子２１ａと２１ｂが接続される入力端子１２１ａと１２１ｂを有している。
また、出力判定装置１００は、遊技機１０の出力端子１１ａと１１ｂの状態を検出する検出回路１１０、遊技機２０の出力端子２１ａと２１ｂの状態を検出する検出回路１２０、判定回路１５０を有している。
検出回路１１０は、遊技機１０の出力端子の出力を検出する検出手段、検出手段を入力端子１１１ａと１１１ｂ（すなわち、遊技機１０の出力端子１１ａと１１ｂ）及び判定回路１５０や電源回路に接続あるいは切断するための切替手段等を有している。
本実施の形態では、検出手段として、電荷蓄積手段であるコンデンサ１１２が用いられている。また、切替手段として、トランジスタや電界効果トランジスタ等のスイッチング素子により構成される第１〜第４スイッチング回路Ｇ１−１〜Ｇ４−１が用いられている。スイッチング回路Ｇ１−１はコンデンサ１１２の一方の端子と一方の入力端子１１１ａとの間に設けられ、スイッチング回路Ｇ２−１はコンデンサ１１２の他方の端子と他方の入力端子１１１ｂとの間に設けられ、スイッチング回路Ｇ３−１はコンデンサ１１２の一方の端子と一方の電源回路１０２との間に設けられ、スイッチング回路Ｇ４−１はコンデンサ１１２の他方の端子と他方の電源回路１０３との間に設けられている。
また、検出回路１１０には、コンデンサ１１２の電圧を安定化させるための抵抗１１３ａ〜１１３ｄが設けられている。
入力端子１２１ａと１２１ｂに接続される検出回路１２０も、検出回路１１０と同様の構成である。
【０００９】
判定回路１５０は、比較器１６０と処理回路１７０を有している。比較器１６０は、非反転入力端子（＋端子）に入力される検出信号を、反転入力端子（−端子）に入力される基準電圧Ｒｅｆと比較する。本実施の形態では、比較器１６０の非反転入力端子にコンデンサ１１２の一方の端子が接続され、比較器１６０は、コンデンサ１１２の一方の端子の電圧を基準電圧Ｒｅｆと比較する。
処理回路１７０は、複数の状態における比較器１６０の出力信号に基づいて、遊技機１０の出力端子１１ａと１１ｂ間の出力及び遊技機２０の出力端子２１ａと２１ｂ間の出力を判定し、判定結果を判定信号として出力する。
なお、検出回路１１０及び検出回路１２０に設けられている第１〜第４スイッチング回路Ｇ１−１〜Ｇ４−１及びＧ１−２〜Ｇ４−２や、電源回路１０２及び１０３は、例えば、処理回路１７０によって制御される。
【００１０】
本実施の形態では、電荷蓄積手段であるコンデンサ１１２及び１２２が本発明の検出手段に対応し、第１〜第４スイッチング回路Ｇ１−１〜Ｇ４−１及びＧ１−２〜Ｇ４−２が本発明の切替手段に対応し、判定回路１５０が本発明の判定手段に対応する。
【００１１】
次に、本実施の形態の動作を図３〜図５を参照して説明する。なお、図２では、遊技機１０及び２０の出力端子と出力判定装置１００の入力端子が、遊技機１０と２０で逆に接続されているが、以下では、遊技機１０及び２０の出力端子１１ａと１１ｂ及び２１ａと２１ｂが、それぞれ出力判定回路１００の入力端子１１ａと１１１ｂ及び１２１ａと１２１ｂに接続されている（図６に示す状態）ものとして説明する。
図３は、検出手段であるコンデンサ１１２及び１２２の各段階における接続状態を示す図である（図３では、第１〜第４スイッチング回路をＧ１〜Ｇ４で表している）。図４は、検出回路１１０及び１２０の第１〜第４スイッチング回路Ｇ１−１〜Ｇ４−１及びＧ１−２〜Ｇ４−２（図４では、第１〜第４スイッチング回路をＧ１〜Ｇ４で表している）、電源回路１０２及び電源回路１０３の動作状態を示す図である。図５は、検出手段であるコンデンサ１１２及び１２２の各段階における一方の端子（判定回路１５０と接続される側の端子）の電位波形を、出力信号の形態及び状態に応じて示したものである。
また、検出回路１１０の第１〜第４スイッチング回路Ｇ１−１〜Ｇ４−１の制御方法と検出回路１２０の第１〜第４スイッチング回路Ｇ１−２〜Ｇ４−２の制御方法は同じであり、動作タイミングが異なるだけであるため、以下では、検出回路１１０の第１〜第４スイッチング回路Ｇ１−１〜Ｇ４−１を制御する場合について説明する。
【００１２】
（１）［＋充電］
第１及び第２スイッチング回路Ｇ１−１及びＧ２−１をオフ、第３及び第４スイッチング回路Ｇ３−１及びＧ４−１をオンにする。
また、電源回路１０２の制御入力Ｄ−ＥＮ及び電源回路１０３の制御入力Ｓ−ＥＮを「Ｌ」レベルとして、電源回路１０２及び電源回路１０３を有効化する。そして、電源回路１０２の入力電圧Ｄを「Ｈ」レベル（例えば、正の所定電位）、電源回路１０３の入力電圧Ｓを「Ｌ」レベル（例えば、グランド電位）とする。
これにより、コンデンサ１１２は、入力端子１１１ａ及び１１１ｂ（遊技機１０の出力端子１１ａと１１ｂ）と完全に切断されるとともに、電源（電源回路１０２及び１０３）及び判定回路１５０と接続され、一方の端子（電源回路１０２及び比較器１６０が接続されている端子）が正である、正方向に充電される。
この時、比較器１６０の非反転入力端子の入力電圧が基準電圧Ｒｅｆより大きいため、比較器１６０の出力信号は「Ｈ」レベルである。
【００１３】
（２）［放電］
第３及び第４のスイッチング回路Ｇ３−１及びＧ４−１をオフ、第１及び第２スイッチング回路Ｇ１−１及びＧ２−１をオンにする。
また、電源回路１０２の制御入力Ｄ−ＥＮ及び電源回路１０３の制御入力Ｓ−ＥＮを「Ｈ」レベルとして、電源回路１０２及び１０３を無効化する。
これにより、コンデンサ１１２は、電源（電源回路１０２及び１０３）及び判定回路１５０と完全に切断されるとともに、入力端子１１１ａ及び１１１ｂ（遊技機１０の出力端子１１ａと１１ｂ）に接続される。
ここで、正方向に充電されたコンデンサ１１２を遊技機１０の出力端子１１ａと１１ｂに接続した場合のコンデンサ１１２の状態（コンデンサ１１２の一方の端子の電位）は、遊技機１０の出力端子の出力信号の形態及び出力状態に応じて異なる。
【００１４】
（３）［検出（第１検出ステップ）］
第１及び第２スイッチング回路Ｇ１−１及びＧ２−１をオフ、第３及び第４スイッチング回路Ｇ３−１及びＧ４−１をオンにする。
また、電源回路１０２の制御入力Ｄ−ＥＮを「Ｈ」レベルとして電源回路１０２を無効化する。さらに、電源回路１０３の制御入力Ｓ−ＥＮを「Ｌ」レベルとして電源回路１０３を有効化するとともに、電源回路１０３の入力電圧Ｓを「Ｌ」レベルとする。
これにより、コンデンサ１１２は、入力端子１１１ａと１１１ｂと完全に切断されるとともに、比較器１６０の非反転入力端子に接続される（コンデンサ１１２の一方の端子の電位の判別が可能となる）。
以下に、遊技機１０の出力端子の出力信号の形態及び出力状態に応じてコンデンサ１１２の一方の端子の電位及び比較器１６０の出力信号が異なることを説明する。
【００１５】
（ａ）Ａ〜Ｅタイプの遊技機で出力端子が開放状態の場合。
コンデンサ１１２の電荷は、抵抗１１３ａ〜１１３ｄを介して徐々に放電する。ここで、検出時間の間、コンデンサ１１２の一方の端子の電位が基準電圧Ｒｅｆより大きい状態を保持するように、コンデンサ１１２の容量と抵抗１１３ａ〜１１３ｄの抵抗値により定まる放電時定数が設定されている。したがって、この場合、比較器１６０の出力信号は「Ｈ」レベルである。
【００１６】
（ｂ）Ａタイプの遊技機で出力端子が正方向短絡状態（入力端子１１１ａから入力端子１１１ｂの方向への短絡）の場合、Ｃタイプの遊技機で出力端子が双方向短絡状態の場合。
コンデンサ１１２に蓄積された電荷は、遊技機１０の出力端子１１ａと１１ｂを介して急激に放電する。したがって、この場合には、比較器１６０の出力信号は、「Ｌ」レベルとなる。
（ｃ）Ｄタイプの遊技機で出力端子が負電圧出力状態（入力端子１１１ａに負電圧が供給される）場合。
コンデンサ１１２に蓄積された電荷は、遊技機１０の出力端子１１ａと１１ｂを介して急激に放電する。したがって、この場合には、比較器１６０の出力信号は、「Ｌ」レベルとなる。
【００１７】
（ｄ）Ｂタイプの遊技機で出力端子が負方向短絡状態（入力端子１１１ｂから入力端子１１１ａの方向への短絡）の場合。
コンデンサ１１２に蓄積された電荷は、抵抗１１３ａ〜１１３ｄを介して徐々に放電する。したがって、この場合、比較器１６０の出力信号は「Ｈ」レベルである。
（ｅ）Ｅタイプの遊技機で出力端子が正電圧出力状態（入力端子１１１ａに正電圧が供給される）場合。
コンデンサ１１２に蓄積された電荷は、抵抗１１３ａ〜１１３ｄを介して徐々に放電する。したがって、この場合、比較器１６０の出力信号は「Ｈ」レベルである。
【００１８】
（４）［−充電］
第１及び第２スイッチング回路Ｇ１−１及びＧ２−１をオフ、第３及び第４スイッチング回路Ｇ３−１及びＧ４−１をオンにする。
また、電源回路１０２の制御入力Ｄ−ＥＮ及び電源回路１０３の制御入力Ｓ−ＥＮを「Ｌ」レベルとして、電源回路１０２及び電源回路１０３を有効化する。そして、電源回路１０２の入力電圧Ｄを「Ｌ」レベル、電源回路１０３の入力電圧Ｓを「Ｈ」レベルとする。
これにより、コンデンサ１１２は、入力端子１１１ａ及び１１１ｂと完全に切断されるとともに、電源（電源回路１０２及び１０３）及び判定回路１５０と接続され、他方の端子（電源回路１０３が接続されている端子）が正である、負方向に充電される。
この時、比較器１６０の非反転入力端子の入力電圧が基準電圧Ｒｅｆより小さいため、比較器１６０の出力信号は「Ｌ」レベルである。
【００１９】
（５）［放電］
第３及び第４のスイッチング回路Ｇ３−１及びＧ４−１をオフ、第１及び第２スイッチング回路Ｇ１−１及びＧ２−１をオンにする。
また、電源回路１０２の制御入力Ｄ−ＥＮ及び電源回路１０３の制御入力Ｓ−ＥＮを「Ｈ」レベルとして、電源回路１０２及び１０３を無効化する。
これにより、コンデンサ１１２は、電源（電源回路１０２及び１０３）及び判定回路１５０と完全に切断されるとともに、入力端子１１１ａ及び１１１ｂ（遊技機１０の出力端子１１ａと１１ｂ）に接続される。
ここで、負方向に充電されたコンデンサ１１２を遊技機１０の出力端子１１ａと１１ｂに接続した場合のコンデンサ１１２の状態（コンデンサ１１２の一方の端子の電位）は、遊技機１０の出力端子の出力信号の形態及び出力状態に応じて異なる。
【００２０】
（６）［検出（第２検出ステップ）］
第１及び第２スイッチング回路Ｇ１−１及びＧ２−１をオフ、第３及び第４スイッチング回路Ｇ３−１及びＧ４−１をオンにする。
また、電源回路１０２の制御入力Ｄ−ＥＮを「Ｈ」レベルとして電源回路１０２を無効化する。さらに、電源回路１０３の制御入力Ｓ−ＥＮを「Ｌ」レベルとして電源回路１０３を有効化するとともに、電源回路１０３の入力電圧Ｓを「Ｈ」レベルとする。
これにより、コンデンサ１１２は、入力端子１１１ａ及び１１１ｂと完全に切断されるとともに、比較器１６０の非反転入力端子に接続される（コンデンサ１１２の一方の端子の電位の判別が可能となる）。
以下に、遊技機１０の出力端子の出力信号の形態及び出力状態に応じてコンデンサ１１２の一方の端子の電位及び比較器１６０の出力信号が異なることを説明する。
【００２１】
（ａ）Ａ〜Ｅタイプの遊技機で出力端子が開放状態の場合。
コンデンサ１１２の電荷は、抵抗１１３ａ〜１１３ｄを介して徐々に放電する。ここで、検出時間の間、コンデンサ１１２の一方の端子の電位が基準電圧Ｒｅｆより小さい状態を保持するように、コンデンサ１１２の容量と抵抗１１３ａ〜１１３ｄの抵抗値により定まる放電時定数が設定されている。したがって、この場合、比較器１６０の出力信号は「Ｌ」レベルである。
【００２２】
（ｂ）Ｂタイプの遊技機で出力端子が負方向短絡状態（入力端子１１１ｂから入力端子１１１ａの方向への短絡）の場合、Ｃタイプの遊技機で出力端子が双方向短絡状態の場合。
コンデンサ１１２に蓄積された電荷は、遊技機１０の出力端子１１ａと１１ｂを介して放電した後、充電状態が反転する（正方向の充電状態となる）。したがって、この場合には、比較器１６０の出力信号は、「Ｈ」レベルとなる。
（ｃ）Ｅタイプの遊技機で出力端子が正電圧出力状態（入力端子１１１ａに正電圧が供給される）場合。
コンデンサ１１２は、遊技機１０から供給される電流によって正方向に充電される。したがって、この場合には、比較器１６０の出力信号は、「Ｈ」レベルとなる。
【００２３】
（ｄ）Ａタイプの遊技機で出力端子が正方向短絡状態（入力端子１１１ａから入力端子１１１ｂの方向への短絡）の場合。
コンデンサ１１２の電荷は、抵抗１１３ａ〜１１３ｄを介して徐々に放電する。したがって、この場合、比較器１６０の出力信号は「Ｌ」レベルである。
（ｅ）Ｄタイプの遊技機で出力端子が負電圧出力状態（入力端子１１１ａに負電圧が供給される）場合。
コンデンサ１１２に蓄積された電荷は、抵抗１１３ａ〜１１３ｄを介して徐々に放電する。したがって、この場合、比較器１６０の出力信号は「Ｌ」レベルである。
【００２４】
以上は、遊技機１０及び遊技機２０の出力端子１１ａと１１ｂ及び２１ａと２１ｂが、それぞれ出力判定装置１００の入力端子１１１ａと１１１ｂ及び１２１ａと１２１ｂに接続されている（図６に示されている接続状態）場合について説明したが、逆に接続されている（例えば、遊技機１０の出力端子１１ａと１１ｂが、それぞれ出力判定装置１００の入力端子１１１ｂと１１１ａに接続されている）（図６と逆の接続状態）場合の比較器１６０の出力信号は以下のとおりである。
すなわち、Ａタイプの遊技機が図６と逆の接続状態の時には、第１検出ステップ及び第２検出ステップにおける比較器１６０の出力信号は、Ｂタイプの遊技機が図６に示されている接続状態の時と同じである。
Ｂタイプの遊技機が図６と逆の接続状態の時には、第１検出ステップ及び第２検出ステップにおける比較器１６０の出力信号は、Ａタイプの遊技機が図６に示されている接続状態の時と同じである。
Ｄタイプの遊技機が図６と逆の接続状態の時には、第１検出ステップ及び第２検出ステップにおける比較器１６０の出力信号は、Ｅタイプの遊技機が図６に示されている接続状態の時と同じである。
Ｅタイプの遊技機が図６と逆の接続状態の時には、第１検出ステップ及び第２検出ステップにおける比較器１６０の出力信号は、Ｄタイプの遊技機が図６に示されている接続状態の時と同じである。
【００２５】
処理回路１７０は、第１検出ステップ及び第２検出ステップでの比較器１６０の出力信号に基づいて、入力端子１１１ａと１１１ｂに接続されている遊技機１０の出力端子１１ａと１１ｂの出力を判定し、判定結果を判定信号として出力端子１０１から出力する。
処理回路１７０での判定方法は、例えば、以下の方法で行う。
第１ステップ及び第２ステップでの比較器１６０の出力信号がそれぞれ「Ｈ」「Ｌ」の場合には、「Ａ〜Ｅタイプの遊技機の出力端子が開放状態」であると判定する。この場合には、遊技機１０の出力端子１１ａと１１ｂ間がオフ状態であり、例えば、遊技機１０の出力端子１１ａと１１ｂから信号が出力されていないと判定する。
第１ステップ及び第２ステップでの比較器１６０の出力信号がそれぞれ「Ｈ」「Ｈ」の場合には、「Ｂタイプの遊技機の出力端子が負方向短絡状態」または「図６と逆に接続されたＡタイプの遊技機の出力端子が正方向短絡状態」または「Ｅタイプの遊技機の出力端子が正電圧出力状態」または「図６と逆に接続されたＤタイプの遊技機の出力端子が負電圧出力状態」であると判定する。この場合には、遊技機１０の出力端子１１ａと１１ｂ間がオン状態であり、例えば、遊技機１０の出力端子１１ａと１１ｂから信号が出力されていると判定する。
【００２６】
第１ステップ及び第２ステップでの比較器１６０の出力信号がそれぞれ「Ｌ」「Ｌ」の場合には、「Ａタイプの遊技機の出力端子が正方向短絡状態」または「図６と逆に接続されているＢタイプの遊技機の出力端子が負方向短絡状態」または「Ｄタイプの遊技機の出力端子が負電圧出力状態」または「図６と逆に接続されているＥタイプの遊技機の出力端子が正電圧出力状態」であると判定する。この場合には、遊技機１０の出力端子１１ａと１１ｂ間がオン状態であり、例えば、遊技機１０の出力端子１１ａと１１ｂから信号が出力されていると判定する。第１ステップ及び第２ステップでの比較器１６０の出力信号がそれぞれ「Ｌ」「Ｈ」の場合には、「Ｃタイプの遊技機の出力端子が双方向短絡状態」であると判定する。この場合には、遊技機１０の出力端子１１ａと１１ｂ間がオン状態であり、例えば、遊技機１０の出力端子１１ａと１１ｂから信号が出力されていると判定する。
【００２７】
遊技機２０の出力端子２１ａと２１ｂの出力を判定する場合も、前記した方法と同様の方法を用いる。
本実施の形態では、検出回路１１０と検出回路１２０に対して判定回路１５０を共用しているため、検出回路１１０と検出回路１２０は、異なるタイミングで作動させる。
【００２８】
本実施の形態では、第１及び第２スイッチング回路Ｇ１−１及びＧ２−１（Ｇ１−２及びＧ２−２）がオンしてコンデンサ１１２（１２２）が遊技機１０（２０）の出力端子に接続される時には、第３及び第４スイッチング回路Ｇ３−１及びＧ４−１（Ｇ３−２及びＧ４−２）がオフして判定回路１５０と完全に切断される。
また、第３及び第４スイッチング回路Ｇ３−１及びＧ４−１（Ｇ３−２及びＧ４−２）がオンしてコンデンサ１１２（１２２）が判定回路１５０に接続される時には、第１及び第２スイッチング回路Ｇ１−１及びＧ２−１（Ｇ１−２及びＧ２−２）がオフして遊技機１０（２０）の出力端子と完全に切断される。
このため、他のスイッチング回路が誤動作した場合でも、コンデンサ１１２（１２２）を含む回りこみ回路が形成されることを防止することができ、遊技機１０（２０）の出力端子の出力（出力端子から出力信号が出力されているか否か）を正確に判定することができる。
【００２９】
以上のように、本実施の形態では、正方向あるいは負方向に充電したコンデンサを遊技機の出力端子に接続してコンデンサの状態（一方の端子の電位）を出力端子の出力に応じた状態とした後、コンデンサの状態（一方の端子の電位）を比較器で判別し、比較器の出力信号に基づいて遊技機の出力端子の出力を判定する。
これにより、遊技機の出力端子から出力される出力信号の形態や、遊技機の出力端子と出力判定装置の入力端子との接続関係に関係なく、入力端子に接続されている遊技機の出力端子の出力（出力端子から出力信号が出力されているか否か）を判定することができる。
したがって、遊技機の出力端子から出力される出力信号の形態や各端子の極性等を考慮することなく遊技機の出力端子を出力判定装置の入力端子に自由に接続することができ、接続作業が容易となる。
また、本実施の形態では、コンデンサが遊技機の出力端子と判定回路に同時に接続されないように構成されているため、例えば、他の出力端子の出力を判定するための検出回路に設けられているスイッチング回路が誤動作した場合でも、コンデンサを含む回りこみ回路が形成されるのを防止することができる。
これにより、遊技機の出力端子の出力を正確に検出することができる。
【００３０】
本発明は、実施の形態で説明した構成に限定されず、種々の変更、追加、削除が可能である。
例えば、検出手段としてコンデンサを用いたが、検出手段はコンデンサ以外の電荷蓄積手段を用いることができる。さらに、検出手段としては、遊技場内機器の出力端子と接続されることによって、出力端子の状態に応じた状態となるものであればよく、電荷蓄積手段に限定されない。
また、電荷蓄積手段の充電回路や放電回路の構成は、実施の形態で説明した構成に限定されず、種々変更可能である。
また、電荷蓄積手段の端子電圧の検出方法や検出した端子電圧に基づいて遊技場内機器の出力端子の出力を判定する方法としては種々の方法を用いることができる。
また、検出手段を遊技場内機器の出力端子、電源回路や判定回路に接続あるいは切断する切替手段は、種々のスイッチング手段により構成することができる。
また、判定回路を比較器（比較手段）と処理回路（処理手段）により構成したが、判定回路の構成はこれに限定されず種々の構成が可能である。
また、複数の検出回路に対して判定回路を共用して用いたが、検出回路毎に判定回路を設けることもできる。
また、検出手段の状態（検出信号）に基づいて遊技場内機器の出力端子の出力を判定する機能をソフトウェアで達成することもできる。この場合には、ソフトウェアを実行する処理装置が判定回路に対応する。
また、遊技機の出力端子の出力を判定する場合について説明したが、本発明は出力端子に出力信号を出力する遊技場内機器の出力端子の出力を判定する場合に適用することができる。さらに、遊技場以外の種々の場所に設けられている機器の出力端子の出力を判定する場合に適用することができる。
また、出力判定装置として構成したが、「遊技場内機器と、出力判定装置と、管理装置とを備え、出力判定装置は、遊技場内機器の出力端子の出力を判定して判定信号を管理装置に出力し、管理装置は出力判定装置から出力される判定信号に基づいて遊技場内機器を管理する遊技場管理装置であって、出力判定装置として前記出力判定装置を用いた遊技場管理装置。」として構成することができる。この場合には、実施の形態で説明した出力判定装置の効果を有する遊技場管理装置を得ることができる。
【００３１】
【発明の効果】
以上説明したように、請求項１〜３に記載の遊技場内機器の出力端子の出力判定装置を用いれば、遊技場内機器の出力端子から出力される出力信号の形態や極性等を考慮すること遊技場内機器の出力端子を出力判定装置の入力端子に自由に接続することができる。さらに、検出手段を含む回りこみ回路が形成されるのを防止することができ、遊技場内機器の出力端子の出力を正確に判定することができる。
【図面の簡単な説明】
【図１】本発明の一実施の形態における遊技機と出力判定装置との接続関係を示す図である。
【図２】本発明の一実施の形態の概略構成図である。
【図３】電荷蓄積手段の各段階における接続図である。
【図４】スイッチング回路及び電源回路の動作状態を示す図である。
【図５】電荷蓄積手段の各段階における電位波形を出力信号の形態に応じて示した図である。
【図６】出力端子から出力される出力信号の形態のタイプを説明する図である。
【符号の説明】
１０、２０  遊技機
１００  状態判定装置
１１０、１２０  検出回路
１５０  判定回路（判定手段）
１６０  比較器
１７０  処理回路
Ｇ１−１〜Ｇ４−１、Ｇ１−２〜Ｇ４−２  スイッチング回路（スイッチング手段）
１１２、１２２  コンデンサ（電荷蓄積手段）
【図１】
2004174161.tif 000003
【図２】
2004174161.tif 000004
【図３】
2004174161.tif 000005
【図４】
2004174161.tif 000006
【図５】
2004174161.tif 000007
【図６】
2004174161.tif 000008